(57)【要約】【課題】配信先を特定するための情報を取得する必要がなく、撮影現場の周囲にいる不特定多数に対して画像を配信する。【解決手段】配信側の携帯電話端末のカメラ装置により撮影された複数の画像の中から周囲へ配信する画像に対して所定の符号を付与し、所定の符号が付与された画像情報を無線信号として送信する。受信側の携帯電話端末は、送信された無線信号を受信し、受信した無線信号としての画像情報を表示または保存する。【選択図】図１
2009212936.tif 000002
【特許請求の範囲】
【請求項１】
カメラ装置を搭載した携帯電話端末において、
上記カメラ装置により撮影された複数の画像の中から周囲へ配信する画像に対して所定の符号を付与する符号付与手段と、
この符号付与手段により所定の符号が付与された画像情報を無線信号として送信する画像配信手段と
を備えたことを特徴とする携帯電話端末。
【請求項２】
請求項１記載の携帯電話端末の前記画像配信手段から送信された無線信号を受信する画像受信手段と、
この画像受信手段により受信された無線信号としての画像情報を表示または保存する画像表示保存手段と
を備えたことを特徴とする携帯電話端末。
【請求項３】
カメラ装置を搭載した携帯電話端末の符号付与手段が、上記カメラ装置により撮影された複数の画像の中から周囲へ配信する画像に対して所定の符号を付与し、
上記携帯電話端末の画像配信手段が、上記符号付与手段により所定の符号が付与された画像情報を無線信号として送信し、
上記画像配信手段から送信された無線信号を受信する側の携帯電話端末の画像受信手段が、上記画像配信手段から送信された無線信号を受信し、
上記受信する側の携帯電話端末の画像表示保存手段が、上記画像受信手段により受信された無線信号としての画像情報を表示または保存する
ことを特徴とする画像情報配信方法。
【請求項４】
情報処理装置にインストールすることにより、その情報処理装置に、
カメラ装置を搭載した携帯電話端末の制御機能を実現するプログラムにおいて、
上記カメラ装置により撮影された複数の画像の中から周囲へ配信する画像に対して所定の符号を付与する符号付与機能を制御する機能と、
この符号付与機能により所定の符号が付与された画像情報を無線信号として送信する画像配信機能を制御する機能と
を実現することを特徴とするプログラム。
【請求項５】
情報処理装置にインストールすることにより、その情報処理装置に、
請求項１記載の携帯電話端末の前記画像配信手段から送信された無線信号を受信する画像受信機能を制御する機能と、
この画像受信機能により受信された無線信号としての画像情報を表示または保存する画像表示保存機能を制御する機能と
を実現することを特徴とするプログラム。
【発明の詳細な説明】
【技術分野】
【０００１】
本発明は、携帯電話端末および画像情報配信方法およびプログラムに関する。
【背景技術】
【０００２】
結婚式や同窓会など多数の人が集まるシーンでは誰もが記念に自分のカメラに画像を残しておきたいものであるが、集合写真など撮影する場合には、同じシーンなのに何台ものカメラで撮影しなければならないため、時間と手間がかかる。さらには追加で自分のカメラもとお願いするのは気が引けるシーンも想定される。
【０００３】
このような課題を解決するために、１台のカメラ装置付携帯電話端末が撮影した画像を複数の携帯電話端末に配信するシステムが提案されている（例えば、特許文献１参照）。
【０００４】
【特許文献１】特開２００３−１８０７０号公報
【発明の開示】
【発明が解決しようとする課題】
【０００５】
例えば、特許文献１の提案では、配信元となるユーザは、配信先の設定を行った上で配信を実行する。この操作は、配信先の特定および設定に手間を要する。すなわち、配信先となるユーザのアドレス情報などの配信先を特定する情報を取得し、その上で、その情報を用いて配信先を設定する必要がある。
【０００６】
例えば、結婚式場などでは、新郎新婦の親戚一同あるいは職場の仲間あるいは趣味の仲間など、通常は交友関係には無い人達が集まる場合が多い。このような現場において、写真の配信先を特定するためのアドレス情報などを収集することはきわめて困難である。
【０００７】
本発明は、このような背景の下に行われたものであって、配信先を特定するための情報を取得する必要がなく、撮影現場の周囲にいる不特定多数に対して画像を配信することができる携帯電話端末および画像情報配信方法およびプログラムを提供することを目的とする。
【課題を解決するための手段】
【０００８】
本発明は、カメラ装置を搭載した携帯電話端末において、上記カメラ装置により撮影された複数の画像の中から周囲へ配信する画像に対して所定の符号を付与する符号付与手段と、この符号付与手段により所定の符号が付与された画像情報を無線信号として送信する画像配信手段とを備えたことを特徴とする。
【０００９】
さらに、前記携帯電話端末の前記画像配信手段から送信された無線信号を受信する画像受信手段と、この画像受信手段により受信された無線信号としての画像情報を表示または保存する画像表示保存手段とを備えたことを特徴とする。
【００１０】
すなわち、本発明の画像情報配信方法は、カメラ装置を搭載した携帯電話端末の符号付与手段が、上記カメラ装置により撮影された複数の画像の中から周囲へ配信する画像に対して所定の符号を付与し、上記携帯電話端末の画像配信手段が、上記符号付与手段により所定の符号が付与された画像情報を無線信号として送信し、上記画像配信手段から送信された無線信号を受信する側の携帯電話端末の画像受信手段が、上記画像配信手段から送信された無線信号を受信し、上記受信する側の携帯電話端末の画像表示保存手段が、上記画像受信手段により受信された無線信号としての画像情報を表示または保存することを特徴とする。
【００１１】
また、本発明をプログラムとしての観点から観ると、本発明は、情報処理装置にインストールすることにより、その情報処理装置に、カメラ装置を搭載した携帯電話端末の制御機能を実現するプログラムにおいて、上記カメラ装置により撮影された複数の画像の中から周囲へ配信する画像に対して所定の符号を付与する符号付与機能を制御する機能と、この符号付与機能により所定の符号が付与された画像情報を無線信号として送信する画像配信機能を制御する機能とを実現することを特徴とする。
【００１２】
さらに、本発明のプログラムは、情報処理装置にインストールすることにより、その情報処理装置に、本発明の携帯電話端末の前記画像配信手段から送信された無線信号を受信する画像受信機能を制御する機能と、この画像受信機能により受信された無線信号としての画像情報を表示または保存する画像表示保存機能を制御する機能とを実現することを特徴とする。
【発明の効果】
【００１３】
本発明によれば、配信先を特定するための情報を取得する必要がなく、撮影現場の周囲にいる不特定多数に対して画像を配信することができる。
【発明を実施するための最良の形態】
【００１４】
本発明の実施形態のカメラ装置付携帯電話端末を図１から図３を参照して説明する。図１は、本発明の実施形態のカメラ装置付携帯電話端末の構成図である。図２は、画像情報配信側の携帯電話端末の処理手順を示すフローチャートである。図３は、画像情報受信側の携帯電話端末の処理手順を示すフローチャートである。
【００１５】
本発明の実施形態のカメラ装置を搭載した携帯電話端末１は、カメラ装置であるカメラ部２により撮影された複数の画像の中から周囲へ配信する画像に対して所定の符号を付与する符号付与手段を含むＣａｍｅｒａＤＳＰ(Digital Signal Processor)部３と、このＣａｍｅｒａＤＳＰ部３により所定の符号が付与された画像情報を無線信号として送信する画像配信手段としてのＢｌｕｅｔｏｏｔｈ（登録商標）部８とを備えたことを特徴とする。
【００１６】
また、画像情報を受信する側の携帯電話端末１０は、携帯電話端末１のＢｌｕｅｔｏｏｔｈ部８から送信された無線信号を受信する画像受信手段としてのＢｌｕｅｔｏｏｔｈ部８と、このＢｌｕｅｔｏｏｔｈ部８により受信された無線信号としての画像情報を表示または保存する画像表示保存手段としてのメモリ部７および表示部６とを備える。
【００１７】
これにより、携帯電話端末１に搭載されているカメラ部２にて撮影した際、その画像をＢｌｕｅｔｏｏｔｈ部８により周囲の携帯電話端末１０に自動送信することで、同様な被写体の撮影画像を複数台で何度も撮影することなく、１つの画像を瞬時に多数の携帯電話端末で共有できる。
【００１８】
図１に示すように、携帯電話端末１は、カメラ部２とＢｌｕｅｔｏｏｔｈ部８、制御部４、操作部５、表示部６、メモリ部７、ＣａｍｅｒａＤＳＰ部３を有す。カメラ部２は撮影した画像を内部のＣａｍｅｒａＤＳＰ部３にて処理後、制御部４へ画像データを出力する。ＣａｍｅｒａＤＳＰ部３はカメラ機能メニュー等で撮影した画像を配信するモード設定とした場合に、制御部４でその判別が可能なよう、撮影画像９のＥｘｉｆ(Exchangeable image file format)データに配信実施となる設定書き込みを行なう。
【００１９】
制御部４はカメラ部２から受け取った撮影画像９のＥｘｉｆ情報へＢｌｕｅｔｏｏｔｈ配信必要有無を確認し、画像はメモリ部７へ保存し、配信必要の場合はＢｌｕｅｔｏｏｔｈ部８を介し周辺機器へ配信する命令を下す。
【００２０】
操作部５は携帯電話端末のキーボタン操作を行い、ユーザが押下した信号を制御部４へ送信する。表示部６はカメラプレビュー画像出力等の画像を出力する。Ｂｌｕｅｔｏｏｔｈ部８は制御部４からの信号により撮影し保存した画像を周囲にあるＢｌｕｅｔｏｏｔｈ機能を有し受信設定モードとなっている機器（携帯電話端末１０など）に送信を行う。
【００２１】
メモリ部７では制御部４から受け取ったカメラ画像の保存やプレビュー画の一時保存を行う。
【００２２】
次に、携帯電話端末１の処理手順を図２のフローチャートを参照して説明する。まず、機能メニューから撮影画像のＢｌｕｅｔｏｏｔｈ配信設定をＯＮ（Ｂｌｕｅｔｏｏｔｈモード設定）にする（ステップＳ１）。この時点で周囲にあるＢｌｕｅｔｏｏｔｈ機器は配信されてきたデータを自動受信し、メモリ部７へ保存する設定としておく（図３のフローチャートにて記載）。
【００２３】
次に、通常にキー操作からカメラ起動ボタンを押下し（ステップＳ２）、カメラを起動（ステップＳ３）させ画面にプレビュー表示をさせる。続いてカメラ部２にて撮影したい被写体を撮影する（ステップＳ４）。ここで撮影した際、ＣａｍｅｒａＤＳＰ部３は、制御部４にて撮影した画像をＢｌｕｅｔｏｏｔｈ配信することを認識させるため、画像のＥｘｉｆデータの一部に目印となる情報を書き込む（ステップＳ５）。撮影された画像はＣａｍｅｒａＤＳＰ３から制御部４へ送信され、そこで制御部４が画像データへアクセスし、Ｂｌｕｅｔｏｏｔｈ配信の有無を確認する（ステップＳ６）。
【００２４】
制御部４にて配信に必要な符号が確認された場合には（ステップＳ７の有り）、一旦メモリ部７へ画像を保存（ステップＳ８）し、続いて制御部４より今保存した画像を周囲機器へ配信する旨の指示を出す（ステップＳ９）。指示を受け取ったＢｌｕｅｔｏｏｔｈ部８は画像を周囲に配信する（ステップＳ１０）。配信完了（ステップＳ１１）後は再度カメラプレビュー画面へ戻る（ステップＳ３）。
【００２５】
なお、ステップＳ６にて配信の必要が無いと判断した場合は（ステップＳ６の無し）、通常に画像をメモリ部７に保存（ステップＳ１２）し、その後プレビュー画面（ステップＳ３）へと戻る。
【００２６】
次に、携帯電話端末１０の処理手順を図３のフローチャートを参照して説明する。Ｂｌｕｅｔｏｏｔｈ部８を用いて画像を取得する側の携帯電話機１０の処理手順としては、機能メニューよりＢｌｕｅｔｏｏｔｈ受信状態とし（ステップＳ２１）、外部周辺機器からの信号を受信（ステップＳ２２）すると、自動的に画像データを取り込み、表示部６へ出力（ステップＳ２３）した後、メモリ部７に保存する（ステップＳ２４）。
【００２７】
（プログラムの実施例）
情報処理装置にインストールすることにより、その情報処理装置に、本実施形態の携帯電話端末１または１０の制御機能を実現するプログラムの実施例を説明する。情報処理装置は、例えば、汎用のコンピュータ装置（ＤＳＰ、ＣＰＵ(Central Processing Unit)、マイクロ・コンピュータ・チップなど）である。
【００２８】
本実施例のプログラムは記録媒体に記録されることにより、情報処理装置は、この記録媒体を用いて本実施例のプログラムをインストールすることができる。あるいは、本実施例のプログラムを保持するサーバからネットワークを介して直接情報処理装置に本実施例のプログラムをインストールすることもできる。
【００２９】
これにより、情報処理装置を用いて、本実施形態の携帯電話端末１または１０におけるＣａｍｅｒａＤＳＰ部３および制御部４の機能を実現することができる。
【００３０】
なお、本実施例のプログラムは、情報処理装置によって直接実行可能なものだけでなく、ハードディスクなどにインストールすることによって実行可能となるものも含む。また、圧縮されたり、暗号化されたりしたものも含む。
【００３１】
（効果の説明）
本発明の実施形態の効果としては、多数の携帯電話端末やデジカメ等を用いて同じシーンを撮影する場合に、携帯電話端末の台数毎にカメラを起動してシャッタを切る動作をする必要がある。例としては、結婚式などの多人数にて集合写真などをとる場合が考えられる。時間が限られている状況で同じ写真を撮るには時間がかかり、また、１台だけの撮影ではその後必要とする人への配信が面倒となってしまう。
【００３２】
本発明の実施形態の携帯電話端末を利用することで、撮影する人物の周囲に自分の携帯電話端末を置き受信設定にしておくだけで撮影した画像を取得することができるため、１台分の撮影でよくなり時間短縮となる。
【００３３】
また、その場にある画質の高いカメラを用いて撮影することができれば、自分の保有するカメラより良い写真を取得することができることも効果のひとつである。
【００３４】
ＩｒＤＡ(Infrared Data Association)赤外線通信モジュールやメールにて画像配信も可能ではあるが、個人的にアドレス情報交換などをする必要が発生し手間がかかる。今回の発明を用いることで誰でも時間をかけず多数の人が手軽に同じ写真を取得することが可能となる。
【産業上の利用可能性】
【００３５】
本発明は、配信先を特定するための情報を取得する必要がなく、撮影現場の周囲にいる不特定多数に対して画像を配信することができるので、携帯電話端末の利用可能性をさらに広めることに利用できる。
【図面の簡単な説明】
【００３６】
【図１】本発明の実施形態の携帯電話端末の構成図である。
【図２】配信側の携帯電話端末の処理手順を示すフローチャートである。
【図３】受信側の携帯電話端末の処理手順を示すフローチャートである。
【符号の説明】
【００３７】
１、１０  携帯電話端末
２  カメラ部
３  ＣａｍｅｒａＤＳＰ部
４  制御部
５  操作部
６  表示部
７  メモリ部
８  Ｂｌｕｒｔｏｏｔｈ部
９  撮影画像
【図１】
2009212936.tif 000003
【図２】
2009212936.tif 000004
【図３】
2009212936.tif 000005